(57)【要約】      （修正有）【課題】使用して汚れたペットボトル、紙パック、缶、牛乳ビンなどの容器を水で洗浄した後に、容器に残った水に手間を掛けず、自然乾燥を行う水切金具を提供する。【解決手段】ペットボトル，紙パック，缶，牛乳ビンなどの容器の水切り金具であって、該水切り金具の下部には略円状の基部と、基部の周縁より中心方向上部に伸びて、その上端には物干し竿に吊り下げ可能なフックが形成された吊下げ軸と、その吊下げ軸に回転可能に軸支され、各容器を逆さまに挟持する保持具とからなる水切り金具を使用する。【選択図】図１
0003143577.tif 000002
【実用新案登録請求の範囲】
【請求項１】
ペットボトル，紙パック，缶，牛乳ビンなどの容器の水切り金具であって、該水切り金具の下部には略円状の基部と、基部の周縁より中心方向上部に伸びて、その上端には物干し竿に吊り下げ可能なフックが形成された吊下げ軸と、その吊下げ軸に回転可能に軸支され、各容器を逆さまに挟持する保持具とからなる水切り金具。
【請求項２】
上記容器の水切り金具であって、該水切り金具の下部には方形状の基部と、基部の対辺より各２本上部に伸びて折れ曲がり、水平方向に２本並んだ吊下げ軸と、一方の吊下げ軸に軸支され、１８０度上方に回転し、前側でも後側でも両方各容器を、逆さまに狭持する保持具とからなる水切り金具。
【考案の詳細な説明】
【技術分野】
【０００１】
本考案は、使用したことにより汚れたペットボトル，紙パック，缶，牛乳ビンなどの容器を水で洗浄した後に容器に残った水を切るための水切り金具に関する。
【背景技術】
【０００２】
従来、洗浄した容器の水切りに際しては、水切りかご，コップ立てなどに容器を逆さまにして挿し込み、しばらく放置するという方法が一般的に採られていた。しかし、このような方法では容器の保持状態が不安定になって容器が倒れ、該容器の底に水がたまった状態になり、いつまで経っても乾燥できなかったり、また場所によっては邪魔にもなる。
そこで、例えば特許文献１に記載されたような水切り金具が提案されている。この水切り金具は壁面などに取り付け可能な専用の用具に容器を保持できるようにしたもので、ペットボトルだけでなく、角型の紙パックや缶など複数種類の容器に対応できるようにしたものである。
【０００３】
【特許文献１】特開２０００−５８６２８号公報
【考案の開示】
【考案が解決しようとする課題】
【０００４】
普通、ペットボトル，紙パック，缶，牛乳ビンなどは、使用されて洗浄後に食器乾燥機に入れず水分をふき取らず放置される場合が多い。これらの容器は逆さまにしないと水が溜まりやすく自然乾燥しにくい。                        
また近年、市販のペットボトルに収められた水、茶、果汁等の飲料を飲んだ後に、このペットボトルを洗浄して中に自家製の麦茶等を入れ、これを断熱性の包装材に入れて、水筒代わりに使用することがよく行われている。この場合、洗浄後のペットボトルをよく乾燥させないとカビ，細菌が繁殖するおそれがある。                
本発明は、これらの容器の水切りに手間を掛けず、衛生的に早急に自然乾燥をすることによりカビ，細菌の発生を防ぐことができる水切り金具を提供することを目的とするものである。
【課題を解決するための手段】
【０００５】
前記目的を解決するための本考案は、ペットボトル，紙パック，缶，牛乳ビンなどの容器の水切り金具であって、該水切り金具の下部には略円状の基部と、基部の周縁より中心方向上部に伸びて、その上端には物干し竿に吊り下げ可能なフックが形成された吊下げ軸と、その吊下げ軸に回転可能に軸支され、各容器を逆さまに挟持する保持具とからなる水切り金具である。
上記容器の水切り金具であって、該水切り金具の下部には方形状の基部と、基部の対辺より各２本上部に伸びて折れ曲がり、水平方向に２本並んだ吊下げ軸と、吊下げ軸の一方に軸支され、１８０度上方に回転し、前側でも後ろ側でも両方各容器を、逆さまに狭持する保持具とからなる水切り金具である。
【考案の効果】
【０００６】
本考案による水切り金具は、洗浄したペットボトル，紙パック，缶，牛乳ビンなどの容器を逆さまに安定よく支持することができ、水切りも確実に行うことができ、しかも日の当たる場所に吊るして自然乾燥することが可能となり、その結果、シミ，カビ，細菌の発生を防ぐことができるようになった。      
また、吊下げ軸の先端にフックを形成しているので洗浄した後、ペットボトルなどの容器をセットして物干し竿や台所の窓側の棚等など日光の当たる場所に吊るして日光消毒することができる。
また、各容器がリサイクル材になった場合、洗浄および乾燥されているので良好な資源となる。サラダオイル，マヨネーズ，ソースなどの粘度のある液体の少なくなった容器を逆さまに挟んで蓋をあけて、受け皿をセットしておけば、完全に使い切ることができ節約できるという利点もある。
【考案を実施するための最良の形態】
【０００７】
本考案による水切り金具１０の最良の形態について図面により詳細に説明する。
図１は本考案による水切り金具１０を示す斜視図である。図１において１０は水切り金具で、該水切り金具１０はステンレス等の錆にくい金属の線材、又は樹脂材を曲成または溶着することにより形成したものである。
水切り金具１０は、ペットボトル８ａ，紙パック８ｂ，缶８ｄ，牛乳ビン８ｃなどの容器８を保持する保持具２０、基部３、吊下げ軸４、物干し竿に吊るすことが可能なフック５から成っている。          
図２は、前記保持具２０によってペットボトルを水切りしている状態を示す斜視図である。保持具２０は、線材を吊下げ軸４に２〜３回転ほど巻いた状態でフック５（図１参照）に差し込み、吊下げ軸４に回転可能に軸支される。それから吊下げ軸４より水平にのびた線材が各々半円状に伸びて、これらを対向させ、一つの円形を描いて接線上に伸びて、交差し、先端は折れ曲げて把持部６を形成している。把持部６を指で挟むことによって、円形の線材が広がり大きな円形となり、該円形にペットボトルの首部を入れて把持部６の指を放すと、挟持して容器を保持するようになっている。
図２は、細径の容器を保持できる保持具２０の斜視図である。この保持具２０はペットボトル８ａ及び牛乳ビン８ｃが水切りできるようになっている。
図４は、太径の容器を保持できる保持具２０と牛乳パック８ｃを保持できる保持具２０の斜視図である。この保持具２０は牛乳パック８ｃ及び缶８ｄが水切りできるようになっている。この保持具２０は、缶８ｄの端部の少し細くなっているところ、もしくは缶８ｄの胴の部分、どこでも挟んで保持できるようになっている。牛乳パック８ｃは保持具２０のクリップ状になっている部分に牛乳パック８ｃの口の部分を差し込めば保持できる。
上記吊下げ軸４は、図１に示すように一本の線材を曲成したもので、その上端には物干し竿等に吊るすことができるようフック５が形成されており、下端には容器８より垂れ落ちる液滴を受けるための受け皿７を載置する基部３が一体的に形成されている。該基部３は吊下げ軸４の軸心外方に張り出すほうに曲成され、それを更に折り曲げてほぼ円形に形成され、その端部を吊下げ軸４に巻きつけるようにして固着されている。
【０００８】
各家庭により毎日使用される容器の種類は、たとえば子供がいるとペットボトル８ａが１本，牛乳ビン８ｃ１本，父親用の缶ビールの空き缶８ｄ１本というように各家庭によってほぼ決まってくる。また、夏には、多くの水分を取るので、ペットボトル８ａとか缶８ｄの水切りする数が増えてくる。                                
そこで、水切りしたい物の保持具２０を前もって、吊下げ軸４上部のフック５の先端より入れておく。それから、上記複数の容器８を保持具２０に挟んで放射状に並べる。台所の流し台の上であれば、垂れ落ちる水は心配ないが、他の場合には、垂れ落ちる水を受けるように基部３の中に受け皿７などを設置しておく。
保持具２０が回転可能に軸支されているので、容器８を保持すると片方へ詰めて並べることができるので、固定した保持具のものよりも数多く水切りすることができる。よって、本発明の水切り金具１０は各家庭の好みにあった保持具２０を選んで吊下げ軸４に軸支させておくことにより、容器８の水切りすることができ、数多くの容器８を水切りすることができる。
また、使用しない場合は片方に回転させておけば収納場所も少なくてすむ。
【実施例１】
【０００９】
図３は、吊下げ軸４が水平の載置式の水切り金具を示しておりペットボトル８ａ,缶８ｄ,牛乳ビン８ｃ，醤油さし８ｅなどの容器８を水切りしている状態を示す斜視図である。
図３において１０は水切り金具で、該水切り金具１０は、保持具２０,基部３，吊下げ軸４より構成されている。保持具２０は，線材を２回転ほど巻いた中心の穴に、水平に伸びた後側（図３中奥側）の吊下げ軸４に通して半回転および左右移動可能に軸支される。後側の吊下げ軸４を中心に保持具２０側が、１８０度上方に回転できるようになっており、保持具２０が前側でも後側でも、両方容器８を保持できる。保持具２０の一方は、後ろ側の吊下げ軸４より前側水平に伸びた線材が各々半円状に伸びてこれらを対向させ、一つの円形を描いて接線状に伸びて交差し、先端は折れ曲がって把持部６となっている。把持部６の他方は水平に伸びてとまり、保持具２０が反転した場合、もう一方の吊下げ軸に当たり保持具２０が水平になるようになっている。                      
保持具２０の１８０度上方に回転できる効果によって容器を前後左右に詰めて並べて、スペースを効率よく使うことができ、より多くの容器9を水切りすることができる。
上記基部3は、方形状に伸びた線材で曲成され、対辺中ほどで２本の吊下げ軸４を支えるために垂直上方に２本立ちあがって、吊下げ軸４を支持している。
受け皿７は、吊下げ軸４によって保持具２０が水平移動するので、方形状の受け皿７がよい。
【実施例２】
【００１０】
図５は、一つの保持具２０で複数のペットボトルのキャップ８ｆを保持できる保持具２０の斜視図である。この保持具２０はペットボトルのキャップ８ｆを上下に４個並べて水切りできるようになっている。
【実施例３】
【００１１】
図６は、一つの保持具２０で太径の容器と細径の容器を保持できる保持具２０の斜視図である。この保持具２０は把持部６が一方に２つの挟持具６１，６２、他方に１つの挟持具６３で構成され、把持部６の挟持具６１と６３で把持すると、開き缶８ｄを保持することができ、把持部６の挟持具６２と６３で把持するとペットボトル８ａあるいは牛乳ビン８ｃを保持できるようになっている。
【図面の簡単な説明】
【００１２】
【図１】本考案の水切り金具の斜視図である。
【図２】細径の容器を保持できる保持具２０の斜視図である。
【図３】本考案の実施例１におけるペットボトル８ａ，紙パック８ｃ，缶８ｄ，牛乳ビン８ｃなどの容器８を水切りしている状態の斜視図である。
【図４】太径の容器を保持できる保持具２０と牛乳パック８ｃを保持できる保持具２０斜視図である。
【図５】一つの保持具で複数のペットボトルのキャップ８ｆを保持できる保持具２０の斜視図である。
【図６】一つの保持具で太径の容器と細径の容器を保持できる保持具２０斜視図である。
【符号の説明】
【００１３】
１０  水切り金具
２０  保持具
３  基部    
４  吊下げ軸
５  フック
６  把持部
６１  挟持具
６２  挟持具
６３  挟持具
７  受け皿
８  容器      ８ａ  ペットボトル
８ｂ  紙パック
８ｃ  牛乳ビン
８ｄ  缶
８ｅ  醤油さし
８ｆ  ペットボトルのキャップ
【図１】
0003143577.tif 000003
【図２】
0003143577.tif 000004
【図３】
0003143577.tif 000005
【図４】
0003143577.tif 000006
【図５】
0003143577.tif 000007
【図６】
0003143577.tif 000008
【手続補正書】
【提出日】平成20年5月16日(2008.5.16)
【手続補正１】
【補正対象書類名】実用新案登録請求の範囲
【補正対象項目名】請求項２
【補正方法】変更
【補正の内容】
【請求項２】
ペットボトル，紙パック，缶，牛乳ビンなどの容器の水切り金具であって、該水切り金具の下部には方形状の基部と、基部の対辺より各２本上部に伸びて折れ曲がり、水平方向に２本並んだ吊下げ軸と、一方の吊下げ軸に軸支され、１８０度上方に回転し、前側でも後側でも両方各容器を、逆さまに挟持する保持具とからなる水切り金具。